(57)【要約】      （修正有）【課題】ポンピングタイプの注出器を装着した容器の流通過程で容器に外圧が加えられた場合に懸念される液漏れを確実に防止する。【解決手段】容器の口部に固定保持されるベースキャップと、液体の吸引工程においてのみ開放する第１逆止弁を有するシリンダーと、液体の加圧、注出工程においてのみ開放する第２逆止弁を備えた中空ステムと、液体を注出するノズル付きの押圧ヘッドとを備えた注出器において、前記シリンダー内に、第１逆止弁を通して吸引された液体を流通させる内部通路を有しシリンダーの底壁部に着座する本体部分と該内部通路につながる貫通路を有しこの本体部分の先端に薄肉部を介してつながるが押圧ヘッドの初期押し込みにて該本体部分の内部通路内に入り込んで抜け止めされるバージンスライド部分とからなるポペットを配置し、このポペットのバージンスライド部分の貫通路末端に中空ステムの内部通路に設けられた凸部を係合させて密閉する。【選択図】        図１
2004322037.tif 000002
【特許請求の範囲】
【請求項１】
容器の口部に固定保持されるベースキャップと、このベースキャップに設置され容器内につながる吸引開口を液体の吸引工程においてのみ開放する第１逆止弁を有するシリンダーと、このシリンダー内にて摺動可能に弾性支持され液体の加圧、注出工程においてのみ開放する第２逆止弁を備えた中空ステムと、該中空ステムの内部通路につながる通路を有し中空ステムを直接摺動させるとともにその通路を通して液体を注出するノズル付きの押圧ヘッドとを備えた注出器であって、
前記シリンダー内に、第１逆止弁を通して吸引された液体を流通させる内部通路を有しシリンダーの底壁部に着座する本体部分と該内部通路につながる貫通路を有しこの本体部分の先端に薄肉部を介してつながるが押圧ヘッドの初期押し込みにて切り離され該本体部分の内部通路内に入り込んで抜け止めされるバージンスライド部分とからなるポペットを配置し、このポペットのバージンスライド部分の貫通路末端に中空ステムの内部通路に設けられた凸部を係合させて密閉してなる、ことを特徴とする液体注出器。
【請求項２】
スライド部分の本体部分に対する抜け止めがアンダーカットによるものである請求項１記載の液体注出器。
【発明の詳細な説明】
【０００１】
【発明の属する技術分野】
本発明はポンピングタイプの液体注出器に関するものであり、該注出器が装着された容器の搬送過程（商品の流通過程）で懸念される予期しない外力の負荷に起因した液漏れを確実に防止しようとするものである。
【０００２】
【従来の技術】
シャンプーやリンス、乳液や洗顔剤等を入れた据え置きタイプの容器では、容器を置いたまま片手による操作でもって内容物が取り出せるようにポンピングタイプの注出器が装着されている。
【０００３】
そして、この種の注出器はシリンダーの内部に吸入弁、吐出弁がそれぞれ組み込まれているのが普通であり、押圧ヘッドの押し込み動作とその復帰動作を複数回にわたって繰り返すことで内容物の連続的な注出を可能としている（例えば特許文献１参照）。
【０００４】
【特許文献１】
実公平７−１３８１６号公報
【０００５】
ところで、従来の注出器は、例えば、容器の搬送過程などにおいて容器の本体部分に予期せぬほどの外力が負荷され容器内の内圧が吸入弁や吐出弁を開放させてしまうほどに上昇した場合に、内容物がノズルを通して漏れ出てしまうおそれがあった。
【０００６】
【発明が解決しようとする課題】
本発明の課題は、商品の流通過程において懸念される上述のような液漏れを確実に防止できる新規な液体注出器を提案するところにある。
【０００７】
【課題を解決するための手段】
本発明は、容器の口部に固定保持されるベースキャップと、このベースキャップに設置され容器内につながる吸引開口を液体の吸引工程においてのみ開放する第１逆止弁を有するシリンダーと、このシリンダー内にて摺動可能に弾性支持され液体の加圧、注出工程においてのみ開放する第２逆止弁を備えた中空ステムと、該中空ステムの内部通路につながる通路を有し中空ステムを直接摺動させるとともにその通路を通して液体を注出するノズル付きの押圧ヘッドとを備えた注出器であって、
前記シリンダー内に、第１逆止弁を通して吸引された液体を流通させる内部通路を有しシリンダーの底壁部に着座する本体部分と該内部通路につながる貫通路を有しこの本体部分の先端に薄肉部を介してつながるが押圧ヘッドの初期押し込みにて該本体部分の内部通路内に入り込んで抜け止めされるバージンスライド部分とからなるポペットを配置し、このポペットのバージンスライド部分の貫通路末端に中空ステムの内部通路に設けられた凸部を係合させて密閉してなる、ことを特徴とする液体注出器であり、バージンスライド部分は本体部分に対しアンダーカットによって抜け止めするのが好ましい。
【０００８】
【発明の実施の形態】
以下、図面を用いて本発明をより具体的に説明する。
【０００９】
図１は本発明に従う液体注出器の実施の形態を断面で示したもの（注出器がまだ一度も使用されていない状態）であり、図において１は容器の口部にねじ止めあるいはアンダーカットによって固定保持することができるベースキャップ、２はベースキャップ１に設置され容器の口部で垂下されるシリンダーである。
【００１０】
シリンダー２は容器内につながる吸引開口２ａが設けられており、この吸引開口２ａにはシリンダー２若しくは後述のポペットに一体的に連結され液体の吸引工程においてのみ開放する第１逆止弁２ｂが配置される。
【００１１】
また、３はシリンダー２内にてスプリングの如き弾性部材４を介して摺動可能に支持されその作動によって液体の吸引、加圧を行う中空ステムであり、この中空ステム３は内部通路３ａとこの内部通路３ａ内に形成された凸部３ｂが設けられており、下方先端部位には弾性部材４の座部及びシリンダー２内壁において圧接、摺動するピストンが一体的に成形されている。５は中空ステム３の内側に配置され液体の加圧、注出工程においてのみ開放する第２逆止弁、６は中空ステム３につながるノズル付きの押圧ヘッドである。
【００１２】
押圧ヘッド６は中空ステム３の内部通路３ａにつながる通路６ａを有しており、中空ステム３を直接摺動させることでその通路６ａを通して液体を注出することができるようになっている。
【００１３】
７はシリンダー２の内部に配置されるポペットである。ポペット７は本体部分７ａとこの本体部分７ａの先端で薄肉部Ｃを介して離脱可能つながるバージンスライド部７ｂからなる。
【００１４】
本体部分７ａは中空ステム３の内部通路３ａに入り込むことを許容する外径を有しシリンダー２の底壁部にアンダーカットの如き係合手段にて着座するものであって、第１逆止弁２ｂを通して吸引された液体を通すための内部通路７ａ１が設けられている。
【００１５】
また、バージンスライド部７ｂは本体部分７の内部通路７ａ１につながる貫通路７ｂ１を有しており該内部通路７ａ１に入り込むことできる程度の外径からなるものであって、貫通路７ｂ１末端には中空ステム３の凸部３ｂが係合していて該貫通路７ｂ１を密閉する。
【００１６】
また、８は抜け止め用のアンダーカットである。このアンダーカット８はポペット７の内部通路７ａ１内に設けられた凹部８ａとバージンスライド部７ｂの外部に設けられ該凹部８ａに係合する凸部８ｂからなる。そして、９は商品の流通過程で押圧ヘッド６が不用意に押し込まれて内容物が排出されるのを防止するストッパーである。
【００１７】
上掲図１に示した構成においては、バーシンスライド部７ｂの貫通路７ｂ１末端が密閉状態にあるので、容器の本体部分に外力が加わりその内部圧力が上昇して第１逆止弁２ｂを経て液体がシリンダー２内に流入しても、流入にかかる液体はポペット７に内側に留まることになりノズルの先端から簡単に漏れ出ることがない。
【００１８】
かかる注出器を使用して液体の注出を行うには、まず、ストッパー９を取り外し、押圧ヘッド６を押し込む（初期押し込み）。そうすると、ポペット７のバージンスライド部７ｂは薄肉部分Ｃを境にして切り離され、本体部分７ａの内側へと入り込み、図２に示す如く、バーシンスライド部７ｂの凸部８ｂが本体部分７ａの凹部８ａに係合することで該バージンスライド部７ｂは本体部分７ａに固定保持されることとなり、この初期押し込み以降は図３に示しめすようにバージンスライド部７ｂの貫通路７ｂ１が中空ステム３の突端３ａにて密閉されることはなく、押圧ヘッド６の押し込み動作と弾性部材４による復帰動作を交互に繰り返すことで液体の連続的な注出が可能になる。
【００１９】
第１逆止弁２ｂ及び第２逆止弁５はこの実施の形態では、片持ち支持されたスイングタイプの弁を例として示したが、これはスプリングタイプやボールタイプあるいは三点支持タイプの逆止弁を用いることができ、この点については限定されない。
【００２０】
図４は第１逆止弁２ｂをボールタイプとし、第２逆止弁５をスプリングタイプとして中空ステム３の凸部３ｂの取り付け構造を変更した本発明に従う注出器の実施の形態を示したものである。
【００２１】
かかる構成の注出器においても、押圧ヘッド６の初期押し込みを行う前の流通過程で容器の本体部分に第１逆止弁２ａの閉塞力を超えるような外力が加えられても液漏れが生じることはない。
【００２２】
なお、前述の両実施例ともにポペット本体部分７ａとバージンスライド部７ｂとの係合は凹部８ａと凸部８ｂとによってアンダーカット嵌合させる場合について示したが、本発明はこれに限るものではなく、双方にネジを設けた螺合構造や圧入嵌合を適用することもできる。また、アンダーカット嵌合させる場合に使用される凹凸は凹部８ａに換えて凸部８ｂが乗り越えることの可能な凸部としたり、凸部８ｂについては、その形状を環状凸条とする以外に間欠の突起部として構成するようにしてもよい。さらに、ポペット７の夫々に設けられる凹凸につき、ポペット本体部分７ａに凸部を設け、バージンスライド部７ｂに凹部を設けて実施例で示したものとは逆の構成とすることも当然可能である。
【００２３】
【発明の効果】
本発明によれば、押圧ヘッドを押し込まない限り注出器の内部通路は遮断された状態にあるため、商品の流通過程で容器内部の圧力上昇によって液体がシリンダー内に入り込んでもノズルを通して外部に漏れ出ることがなく、品質の良好な商品を提供できる。
【図面の簡単な説明】
【図１】本発明に従う液体注出器の実施の形態を断面で示した図である。
【図２】図１に示した注出器の作動状況の説明図である。
【図３】図１に示した注出器の作動状況の説明図である。
【図４】本発明に従う液体注出器の他の実施の形態を断面で示した図である。
【符号の説明】
１  ベースキャップ
２  シリンダー
２ａ吸引開口
２ｂ第１逆止弁
３  中空ステム
３ａ内部通路
３ｂ凸部
４  弾性部材
５  第２逆止弁
６  押圧ヘッド
６ａ通路
７  ポペット
７ａ本体部分
７ａ１内部通路
７ｂバージンスライド部
７ｂ１内部通路
８  アンダーカット
８ａ凹部
８ｂ凸部
９  ストッパー
Ｃ  薄肉部
【図１】
2004322037.tif 000003
【図２】
2004322037.tif 000004
【図３】
2004322037.tif 000005
【図４】
2004322037.tif 000006